(57)【特許請求の範囲】
【請求項１】
上下横架材に該横架材の長さ方向に所定間隔を存して横架材よりも太い柱材と横架材と同一太さの管柱とを互いに室内側の内面が面一となるように一体に組み合わせて矩形枠状の構造軸材を形成していると共に横架材よりも太い上記柱材における上記管柱と対向する内側面に外面が上記管柱の外面と垂直面上で面一となるように受け材を固着して、柱材と管柱間に張設した外側板状材の四方端縁部を上記受け材の外面と上下横架材及び管柱の外面に固着してあり、さらに、この外側板状材の外面に上記柱材の外面よりも外方に突出する胴縁を固着すると共に上記柱材の外面に外面が該胴縁の外面と面一となるようにスペーサを固着してこれらの胴縁及びスペーサを介して外壁材を張設していることを特徴とする壁組構造。
【請求項２】
上側横架材と、この上側横架材と同一太さの管柱と、上側横架材よりも太い柱材と下側横架材とを互いに室内側の内面が面一となるように一体に組み合わせて矩形枠状の構造軸材を形成していると共に上記柱材の内側面と下側横架材の上面とに室外側から外面が上記管柱及び上側横架材の外面と垂直面上で面一となるように受け材を固着して柱材と管柱間に張設した外側板状材の四方端縁部をこれらの受け材の外面と上記上側横架材及び管柱の外面とにそれぞれ固着してあり、さらに、この外側板状材の外面に外面が上記柱材の外面よりも外方に突出する胴縁を固着すると共に上記柱材の外面に該胴縁の外面と面一となるようにスペーサを固着してこれらの胴縁及びスペーサを介して外壁材を張設していることを特徴とする壁組構造。
【請求項３】
上記外側板状材の外面に固着した胴縁の外面と上記柱材の外面とを面一にして胴縁上に固着した外壁材の端部内面を柱材の外面に直接、固着していることを特徴とする請求項１又は請求項２に記載の壁組構造。
【請求項４】
内面が面一に揃えた上記上下横架材と柱材及び管柱とにおいて、下側横架材の上面と柱材の内側面とにおける室内側の面部にそれぞれ受け材を固着し、柱材と管柱との間に張設した内側板状材の四方端縁部をこれらの受け材の内面と管柱及び上側横架材の内面とに固着していることを特徴とする請求項１、請求項２又は請求項３に記載の壁組構造。
【請求項５】
外壁材によって被覆されていない柱材の出隅部に出隅役物を装着していることを特徴とする請求項１、請求項２又は請求項３に記載の壁組構造。
【発明の詳細な説明】
【０００１】
【発明の属する技術分野】
本発明は木造軸組工法によって建築された住宅における改良された壁組構造に関するものである。
【０００２】
【従来の技術】
従来から、木造軸組工法によって住宅の建築を行う場合、耐久性を高めるために隅柱や通し柱などの構造上、負荷がかかる部分には径の大きい柱材が採用される場合がある。通常、標準仕様の住宅においては隅柱、通し柱、管柱などの柱材と、梁、土台、胴差、軒桁などの横架材は太さが105mm のものが用いられているが、住宅金融公庫の融資を受けるような場合には、融資を受けるための技術基準を満たす必要があり、例えば、高耐久性住宅としての技術基準を満たすためには隅柱、通し柱を135mm 角以上にするか、耐久性を有する樹種、例えば、ヒノキ、ヒバ、スギ、アカマツ、クロマツ、ベイマツなどからなる柱材の場合には120mm 角以上をものを使用する必要があった。
【０００３】
【発明が解決しようとする課題】
そのため、横架材と柱材とから方形枠状に組み立ててなる構造軸材の外面に構造用合板などの外側板状材を固定して耐力壁を構成する場合や外側板状材の外面に外壁材を固定する場合には、横架材として隅柱や通し柱と同一太さのものを用いる必要があり、材積が増して住宅の建築材料費が高くなるという問題点があった。また、上記構造軸材の室内側に石膏ボード等の内側板状材を張設、固定する場合にも、横架材と柱材との間に段差が形成されていると、直接、取付けることができないという問題点があった。
【０００４】
本発明は上記のような問題点に鑑みてなされたもので、その目的とするところは、隅柱や通し柱とこれらの柱材よりも細い横架材とから組み立てられた構造軸材に内外板状材や外壁材を耐力壁としての機能を充分に発揮し得るように精度よく且つ能率よく施工し得る構造を有する壁組構造を提供するにある。
【０００５】
【課題を解決するための手段】
上記目的を達成するために本発明の請求項１に係る壁組構造は、上下横架材に該横架材の長さ方向に所定間隔を存して横架材よりも太い柱材と横架材と同一太さの管柱とを互いに室内側の内面が面一となるように一体に組み合わせて矩形枠状の構造軸材を形成していると共に横架材よりも太い上記柱材における上記管柱と対向する内側面に外面が上記管柱の外面と垂直面上で面一となるように受け材を固着して、柱材と管柱間に張設した外側板状材の四方端縁部を上記受け材の外面と上下横架材及び管柱の外面に固着してあり、さらに、この外側板状材の外面に上記柱材の外面よりも外方に突出する胴縁を固着すると共に上記柱材の外面に外面が該胴縁の外面と面一となるようにスペーサを固着してこれらの胴縁及びスペーサを介して外壁材を張設した構造としている。
【０００６】
請求項２に係る発明は、上側横架材と、この上側横架材と同一太さの管柱と、上側横架材よりも太い柱材と下側横架材とを互いに室内側の内面が面一となるように一体に組み合わせて矩形枠状の構造軸材を形成していると共に上記柱材の内側面と下側横架材の上面とに室外側から外面が上記管柱及び上側横架材の外面と垂直面上で面一となるように受け材を固着して柱材と管柱間に張設した外側板状材の四方端縁部をこれらの受け材の外面と上記上側横架材及び管柱の外面とにそれぞれ固着してあり、さらに、この外側板状材の外面に外面が上記柱材の外面よりも外方に突出する胴縁を固着すると共に上記柱材の外面に該胴縁の外面と面一となるようにスペーサを固着してこれらの胴縁及びスペーサを介して外壁材を張設した構造としている。
【０００７】
上記のように構成した壁組構造において、請求項３に記載したように、上記外側板状材の外面に固着した胴縁の外面と上記柱材の外面とを面一にして胴縁上に固着した外壁材の端部内面を柱材の外面に直接、固着した壁組構造としておいてもよい。
【０００８】
また、請求項４に係る発明は、内面が面一に揃えた上記上下横架材と柱材及び管柱とにおいて、下側横架材の上面と柱材の内側面とにおける室内側の面部にそれぞれ受け材を固着し、柱材と管柱との間に張設した内側板状材の四方端縁部をこれらの受け材の内面と管柱及び上側横架材の内面とにそれぞれ固着していることを特徴としている。なお、外壁材によって被覆されていない柱材の出隅部は、請求項５に記載したように出隅役物が装着されている。
【０００９】
【作用】
請求項１に係る発明においては、上下横架材に該横架材の長さ方向に所定間隔を存して横架材よりも太い柱材と横架材と同一太さの管柱とを互いに室内側の内面が面一となるように一体に組み合わせているので、室外側においては上下横架材の外面から柱材の外面が突出した構造軸材を構成している。従って、この柱材の内側面に外面が上下横架材と管柱との外面と面一になるように受け材を固着し、柱材と管柱間に張設する外側板状材の一側端縁部の内面をこの受け材に固着すると共に該外側板状材の上下端縁部と他側端縁部との内面を上下横架材の外面と管柱の外面とにそれぞれ当接させて固着することにより耐力壁構造とすることができる。
【００１０】
請求項２に係る発明においては、上記請求項１に記載された軸組構造における下側横架材として柱材と同一太さのものを用いており、この下側横架材の上面に外面が柱材の内側面に固着した受け材の外面と面一にして別な受け材を固着しておくことによりこれらの受け材の外面と上側横架材及び管柱の外面とを同一垂直面上で面一にし、柱材と管柱間に張設した外側板状材の一側端縁部と下端縁部との内面をこれらの受け材にそれぞれ当接させた状態で固着すると共に該外側板状材の他側端縁部と上端縁部との内面を管柱と上側横架材とに当接させた状態で固着することにより耐力壁構造を形成している。
【００１１】
上記請求項１及び請求項２に係る発明においては、外側板状材を被覆する外壁材の取付構造としては、外側板状材に胴縁を固着すると共に柱材の外面に該胴縁と外面を面一になるようにしてスペーサを固着し、これらのスペーサと胴縁を介して外壁材を固着することにより体裁のよい外壁構造を簡単に施工し得るものであるが、請求項３に記載したように、柱材にスペーサを固着することなく、外側板状材に固着した胴縁の外面を柱材の外面と面一にしておき、胴縁上に固着した外壁材の側端部を直接、柱材に固着することによっても外観が良好な外壁構造を形成することができる。
【００１２】
一方、室内側においては、上記上下横架材と柱材及び管柱はその内面を揃えた状態で組立てられているので、室内側に内側板状材を張設する場合には、請求項４に記載したように下側横架材の上面と柱材の内側面とにおける室内側の面部に受け材を固着することによってこれらの受け材と管柱及び上側横架材の内面に内側板状材の四方端縁部を簡単且つ強固に張設することができ、耐力壁を構成することができる。また、請求項５に係る発明によれば、外壁材によって被覆されない柱材の出隅部に出隅役物を装着しているので、柱材としての隅柱の外観を良好にすることができる。
【００１３】
【発明の実施の形態】
次に、本発明の具体的な実施例を図面について説明すると、図１、図２は請求項１に係る壁組構造の実施の形態を示すもので、左右に一定間隔を存して立設した太さが120mm 角の隅柱である柱材１と太さが105mm 角の管柱２と、上下に一定間隔を存して対設した太さ（幅）が105mm 角の土台及び胴差である上下横架材３、４とを、これらの柱材１、管柱２、上下横架材３、４の室内側の内面を同一垂直面上に面一となるように揃えた状態で組み合わせ接合して矩形枠状の構造軸材を形成してあり、この構造軸材の外面側と内面側（以下、室外側に向けた面を外面、室内側に向けた面を内面とする）に、外側板状材５と内側板状材６をそれぞれ張設、固着していると共に外側板状材５の外面に胴縁７を介して外壁材８を張設、固着してあり、さらに、柱材１の外面にスペーサ10を固着してこのスペーサ10の外面上に上記胴縁７に固着した外壁材８の側端部を固着すると共に柱材１の出隅部に断面Ｌ字形状の出隅役物11を固着した構造としている。
【００１４】
このような壁組構造を更に詳しく説明すると、太さが120mm 角の上記柱材１と太さが105mm 角の管柱２及び上下横架材３、４とをこれらの柱材１と管柱２と上下横架材３、４との内面が同一垂直面となるように揃えた状態で組み合わせて構造軸材を形成した場合、柱材１の外面が管柱２及び上下横架材３、４の外面から上記太さの差、即ち、15mmだけ外方に突出した構造となっている。さらに、柱材１の内側面、即ち、管柱２と対向する面に、この突出寸法だけ外面を室内側に没入させた状態で30×40mmの太さの角棒よりなる受け材９を垂直方向に添設して釘着により固定してあり、従って、この受け材９の外面は管柱２と上下横架材３、４の外面と垂直面上で面一となっている。これらの外面に外側板状材５の四方端縁部の内面を当接させた状態で固着することにより外側板状材５を張設している。即ち、この外側板状材５の両側端部を受け材９と管柱２の外面に、上下端部を上下横架材３、４の外面にそれぞれ当接させて釘着により固定している。
【００１５】
上記外側板状材５としては、例えば、合板や構造用合板、ＯＳＢ（オリエンテッドストランドボード）、パーティクルボード、ＭＤＦ（中比重繊維板）、シージングボード、ＶＳＦ（火山性ガラス質複層板）等の面材耐力壁として適した厚さが12mmの縦長長方形状の板材が用いられ、この外側板状材５の外面に幅方向に一定間隔毎に厚さが15mmの胴縁７が釘着によって固定している。従って、これらの胴縁７の外面は柱材１の外面から12mmだけ突出してあり、柱材１の外面にこの厚さに等しい板状のスペーサ10を固着することによって胴縁７とスペーサ10との外面を同一垂直面となるように面一に揃えている。
【００１６】
このように面一に設けられた胴縁７の外面及びスペーサ10の外面に外壁材８を架設状態に当接してその当接部分を釘着により固定している。柱材１は隅柱である場合には互いに直角な外面に上記スペーサ10が固着されていると共にこれらのスペーサ10の端部上に固着した外壁材８の対向端面間に露出しているスペーサ10、10上に外壁材８と同一厚みの断面Ｌ字形状の出隅役物11を固着してあり、さらに、外壁材８と該出隅役物11との対向面間の隙間にはコーキング12が施されている。また、外側板状材５の内側面には断熱材13が取り付けられている。
【００１７】
上記柱材１と管柱２及び上下横架材３、４とで構成された構造軸材は、上述したようにその内面が垂直面上で面一に揃えられており、柱材１の内側面と下側横架材４の上面とにおける室内側の面部に内面をこれらの柱材１と下側横架材４の内面に面一となるようにして受け材9a、9bをそれぞれ釘着により固定している。そして、上記構造軸材の内面に厚さが12mmの縦長長方形状の内側板状材６が張設され、該内側板状材６の両側端部を上記内側受け材9aと管柱２の室内側内面に当接させて釘着により固定していると共に上下端部を上側横架材３の内面と下側横架材４に固着した受け材9bの内面とにそれぞれ当接させて釘着により固定している。
【００１８】
このように構成した壁組構造において、外壁材８の下端には、図２に示すように基礎16と土台である下側横架材４との間に介在させている基礎パッキン14の外面を被覆するようにして水切り15が取付けられている。なお、外壁材８を形成する板材としてはセメントケイカル板やスラグ石膏板、木毛セメント板などが用いられ、内側板状体６は、合板や構造用合板、ＯＳＢ（オリエンテッドストランドボード）、パーティクルボード、ＭＤＦ（中比重繊維板）、シージングボード、ＶＳＦ（火山性ガラス質複層板）等の面材耐力壁として適した厚さが12mmの縦長長方形状の板材を用いている。
【００１９】
図３、図４は請求項２に係る壁組構造の実施の形態を示すもので、上記請求項１に係る壁組構造においては、太さが120mm 角の柱材１と太さ（幅）が105mm の上下横架材とで構成された構造軸材に対する内外板状材５、６の収め構造と外壁材８の施工形態を示したが、この請求項２に係る壁組構造においては、太さが120mm 角の柱材１と同じく太さが120mm 角の土台である下側横架材4aと、太さが105mm 角の管柱２及び内外面間の幅（太さ）が105mm の上側横架材３とによって構造軸材を構成し、この構造軸材の内外に内外板状材５、６と外壁材８とを収めた壁組構造である。
【００２０】
即ち、左右に一定間隔を存して立設した柱材１と管柱２と上下に一定間隔を存して対設した上下横架材３、4aとを、室内側に面した内面を面一に揃えた状態で組み合わせ接合して矩形枠状の構造軸材を形成してあり、この構造軸材の外面側と内面側に、外側板状材５と内側板状材６をそれぞれ張設、固着していると共に外側板状材５の外面に胴縁７を介して外壁材８を張設、固着してあり、さらに、柱材１の外面にスペーサ10を固着してこのスペーサ10の外面上に上記胴縁７に固着した外壁材８の側端部を固着すると共に柱材１の出隅部に断面Ｌ字形状の金属製出隅役物11を固着した構造としている。
【００２１】
このような壁組構造を更に詳しく説明すると、太さが120mm 角の隅柱である上記柱材１と基礎13上に基礎パッキン14を介して敷設された太さが120mm の土台からなる下側横架材4a及び太さが105mm の管柱２と同一太さの上側横架材３とをこれらの柱材１、管柱２と上下横架材３、4aとの内面を同一垂直面となるように面一に揃えた状態で構造軸材を形成してあり、従って、柱材１と下側横架材4aの外面が管柱２と上側横架材３の外面から上記太さの差、即ち、15mmだけ外方に突出した構造となっている。この突出寸法だけ外面を室内側に没入させた状態にして柱材１の内側面と下側横架材4aの上面とに30×40mmの太さの角棒よりなる受け材９、9cをそれぞれ添設して釘着により固定し、これらの受け材９、9cと管柱２及び上側横架材３の外面を垂直面上で面一としている。この面一に形成された受け材９、9cと管柱２及び上側横架材３の外面に外側板状材５の四方端縁部の内面を当接した状態で固着している。即ち、外側板状材５の両側端部を受け材９と管柱２の外面に、上下端部を上側横架材３と受け材9cの外面にそれぞれ当接させて釘着により固定している。
【００２２】
上記外側板状材５としては、図１、図２に示した外側板状材５と同一材料の面材耐力壁として適した厚さが12mmの縦長長方形状の板材が用いられ、この外側板状材５の外面に幅方向に一定間隔毎に厚さが15mmの胴縁７が釘着によって固定している。従って、これらの胴縁７の外面は柱材１の外面から12mmだけ突出してあり、柱材１の外面にこの厚さに等しい板状のスペーサ10を固着することによって胴縁７とスペーサ10との外面を同一垂直面となるように面一に揃えている。
【００２３】
このように面一に設けられた胴縁７の外面及びスペーサ10の外面に外壁材８を架設状態に当接してその当接部分を釘着により固定している。柱材１は隅柱である場合には互いに直角な外面に上記スペーサ10が固着されていると共にこれらのスペーサ10の端部上に固着した外壁材８の対向端面間に露出しているスペーサ10、10上に外壁材８と同一厚みの断面Ｌ字形状の出隅役物11を固着している。
【００２４】
上記柱材１と管柱２及び上下横架材３、4aとで構成された構造軸材は上述したようにその内面が垂直面上で面一に揃えられており、柱材１の内側面と下側横架材４の上面とにおける室内側の面部に内面をこれらの柱材１と下側横架材４の内面に面一となるようにして受け材9a、9bをそれぞれ釘着により固定している。そして上記構造軸材の内面に厚さが12mmの縦長長方形状の内側板状材６が張設され、該内側板状材６の両側端部を上記内側受け材9aと管柱２の室内側内面に当接させて釘着により固定していると共に上下端部を上側横架材３の内面と下側横架材４に固着した受け材9bの内面とにそれぞれ当接させて釘着により固定している。
【００２５】
このように構成した壁組構造において、外壁材８の下端部内面と下側横架材4aの外面との間に該下側横架材4aに固着されたスペーサ10a が介在してあり、このスペーサ10a と外壁材８の下端部間に基礎パッキン14の外面を被覆するようにして水切り15が取付けられている。なお、内側板状体６は上記外側板状材５と同じく、合板や構造用合板、ＯＳＢ（オリエンテッドストランドボード）、パーティクルボード、ＭＤＦ（中比重繊維板）、シージングボード、ＶＳＦ（火山性ガラス質複層板）等の面材耐力壁として適した厚さが12mmの縦長長方形状の板材を用いている。
【００２６】
なお、上記スペーサ10、10a としては、例えば合板、ＶＳＦ（火山性ガラス質積層板）などが用いられ、特に、ＶＳＦを用いると、防腐性、防火性が向上し、このスペーサ10を柱材１の全面に設けることによって最も好ましい防腐性、防火性を発揮させることができる。なお、外壁材８としてはセメントケイカル板、スラグ石膏板、木毛セメント板などが用いられる。
【００２７】
図５、図６は図１及び図２に示す壁組構造において、柱材として太さが135mm 角の隅柱を用いてこの柱材1Aの外面に外壁材８の側端部をスペーサ10を介することなく直接、柱材に固着してなるものであり、その他の構造は図１、図２に示す壁組構造と同様である。即ち、太さが135mm の柱材1Aと、太さが105mm 角の管柱２及び太さが105mm の上下横架材３、４とをこれらの内面が垂直面上で面一となるように組み合わせて構造軸材を形成し、柱材１の外面を管柱２及び上下横架材３、４の外面から上記太さの差、即ち、30mmだけ外方に突出した構造としている。この突出寸法だけ外面を室内側に没入させた状態で30×40mmの太さの角棒よりなる受け材９を柱材１の内側面に垂直方向に添設して釘着により固定して該受け材９の外面と管柱２及び上下横架材３、４の外面とを垂直面上で面一に形成し、外側板状材５の両側端部を受け材９と管柱２の外面に、上下端部を上下横架材３、４の外面にそれぞれ当接させて釘着により固定している。
【００２８】
さらに、この外側板状材５の外面に幅方向に一定間隔毎に胴縁７が釘着によって固定している。外側板状材５の厚みが12mm、胴縁７の厚みが18mmに形成されてあり、従って、胴縁７の外面と柱材1Aの外面とは同一垂直面上で面一に揃えられている。この胴縁７の外面に縦長長方形状の外壁材８を架設状態に当接してその当接部分を釘着により固定していると共に柱材1A側に設けられた外壁材８の側端部を該柱材1Aの外面に釘着により直接、固定しているものである。内側板状材６の張設構造やその他の構造は上記図１、図２に示した壁組構造と同じであるので同一符号を付してその説明を省略する。
【００２９】
図７、図８は図３及び図４に示す壁組構造において、柱材として太さが135mm 角の隅柱を用いてこの柱材1Aの外面に外壁材８の側端部をスペーサ10を介することなく直接、固着してなるものであり、その他の構造は図３、図４に示す壁組構造と同様である。即ち、太さが135mm 角  の柱材1Aと、太さが120mm 角の土台を構成している下側横架材4aと、太さが105mm 角の管柱及び同一太さ（幅）の上側横架材３とをこれらの内面が垂直面上で面一となるように組み合わせて構造軸材を形成し、柱材１と下側横架材4aとの外面を管柱２及び上側横架材３の外面からそれぞれ30mm、15mmだけ外方に突出した構造としている。この突出寸法だけ外面を室内側に没入させた状態で30×40mmの太さの角棒よりなる受け材９、9cを柱材1Aの内側面と下側横架材4aの上面とにそれぞれ添設して釘着により固定し、これらの受け材９、9cの外面と管柱２及び上側横架材３の外面とを垂直面上で面一に形成して外側板状材５の両側端部を受け材９と管柱２の外面に、上下端部を上側横架材３と受け材9cの外面にそれぞれ当接させて釘着により固定している。
【００３０】
さらに、この外側板状材５の外面に幅方向に一定間隔毎に胴縁７が釘着によって固定している。外側板状材５の厚みが12mm、胴縁７の厚みが18mmに形成されてあり、従って、胴縁７の外面と柱材1Aの外面とは同一垂直面上で面一に揃えられている。この胴縁７の外面に縦長長方形状の外壁材８を架設状態に当接してその当接部分を釘着により固定していると共に柱材1A側に設けられた外壁材８の側端部を該柱材1Aの外面に釘着により直接、固定しているものである。このように構成した壁組構造において、外壁材８の下端部内面と下側横架材4aの外面との間に該下側横架材4aに固着された厚さが15mmのスペーサ10b を介在させ、このスペーサ10b 上に柱材1Aの外面に固着した外壁材８の下端部を当接状態で固着している。内側板状材６の張設構造やその他の構造は上記図３、図４に示した壁組構造と同じであるので同一符号を付してその説明を省略する。
【００３１】
【発明の効果】
以上のように本発明の請求項１に記載の壁組構造によれば、上下横架材に該横架材の長さ方向に所定間隔を存して横架材よりも太い柱材と横架材と同一太さの管柱とを互いに室内側の内面が面一となるように一体に組み合わせていると共に上記柱材の内側面にその外面が上下横架材及び管柱の外面と垂直面上で面一となるように受け材を固着しているので、これらの受け材と上下横架材及び管柱の外面に外側板状材の四方端縁部を正確且つ簡単に固着することができ、従って、柱材と横架材との太さ寸法が異なっていても外側板状材を所望の強度を有する耐力壁構造となるように施工し得るものである。
【００３２】
また、請求項２に係る発明によれば、上側横架材と同一太さの管柱と、上側横架材よりも太い柱材と下側横架材とを互いに室内側の内面が面一となるように一体に組み合わせていると共に上記柱材の内側面と下側横架材の上面とにその外面が管柱及び上側横架材の外面と垂直面上で面一となるように受け材をそれぞれ固着しているので、これらの受け材と上側横架材及び管柱との外面に外側板状材の四方端縁部を上記請求項１に係る壁組構造と同様、正確且つ簡単に固着することができ、この外側板状材によって耐力壁構造を構成し得る。
【００３３】
さらに、上記請求項１及び請求項２に記載の壁組構造によれば、この外側板状材の外面に上記柱材の外面よりも外方に突出する胴縁を固着すると共に上記柱材の外面に外面が該胴縁の外面と面一となるようにスペーサを固着しているので、これらの胴縁及びスペーサを介して外側板状材上に外壁材を容易に且つ精度よく張設することができる。
【００３４】
また、上記請求項１及び請求項２に記載のいずれの壁組構造においても、外側板状材を隅柱のように横架材よりも太い柱材においては受け材を介して固定する一方、管柱や該管柱と同一太さを有する横架材においては、直接、これらの管柱と横架材との外面に外側板状材を張設、固定するので、耐力強度が大きくなるばかりでなく、高耐久の壁組構造に構成しても隅柱などの太い柱材の寸法のみを大きくすれば良いので材積が増えることもなく、材料費の節減を図ることができると共に太い柱材を用いた公庫基準における高耐久性能と、横架材と同一太さの管柱を用いた標準性能との部材の共通化を図ることができ、生産性、施工性が向上する。
【００３５】
請求項３に係る発明は上記請求項１及び請求項２に記載の壁組構造において、外側板状材の外面に固着した胴縁の外面と上記柱材の外面とを面一にして胴縁上に固着した外壁材の端部内面を柱材の外面に直接、固着してなる構造であるから、135mm 角の太い柱材を用いた場合においてスペーサを介在させることなく外壁材の施工が可能となり、この壁組構造においても上記同様に高耐久の壁組構造に構成し得ると共に施工性が一層向上するものである。
【００３６】
さらに、本発明の壁組構造によれば、横架材と該横架材よりも太い柱材とは室内側の内面を揃えた状態で組立てられているので、室内側に内側板状材を張設する場合には、下側横架材の上面と柱材の内側面とにおける室内側の面部にそれぞれ受け材を固着し、柱材と管柱との間に張設した内側板状材の四方端縁部をこれらの受け材の内面と管柱及び上側横架材の内面とに固着した構造とすることで、優れた耐力壁構造を構成し得るものである。
【図面の簡単な説明】
【図１】請求項１に係る壁組構造の横断面図、
【図２】そのＡーＡ線における縦断側面図、
【図３】請求項２に係る壁組構造の横断面図、
【図４】そのＢーＢ線における縦断側面図、
【図５】柱材の外面に直接外壁材の端部を固着した場合の壁組構造の横断面図、
【図６】そのＣーＣ線における縦断側面図、
【図７】柱材の外面に直接外壁材の端部を固着した場合の別な壁組構造の横断面図、
【図８】そのＤーＤ線における縦断側面図。
【符号の説明】
１  柱材
２  管柱
３  上側横架材
４  下側横架材
５  外側板状材
６  内側板状材
７  胴縁
８  外壁材
９  受け材
10  スペーサ
11  出隅役物
【図１】
0003753501.tif 000002
【図３】
0003753501.tif 000003
【図２】
0003753501.tif 000004
【図４】
0003753501.tif 000005
【図５】
0003753501.tif 000006
【図７】
0003753501.tif 000007
【図６】
0003753501.tif 000008
【図８】
0003753501.tif 000009